(57)【要約】      （修正有）【課題】  溶接をせずにブラケットとボルトで柱と梁との結合が強固に行われ、柱及び梁は鋼管又は木製の何れでも対応可能とした柱と梁の結合構造の提供。【解決手段】  角形状の柱１と角形状の梁２Ａ、２Ｂで構成するコーナーの外角部に内側角部が当接した略Ｌ形連結金具４を柱１と両方の梁２Ａ、２Ｂの端部付近の外側に当接する。柱１と梁２Ａの端部付近の内側に当接する平板接合金具５と梁２Ｂにより構成される内角部６にコーナー連結金具７を当接する。コーナー連結金具７は一方が内角部６の平板接合金具５の側面に当接し、他方が内角部６の梁２Ｂの側面に当接する略Ｌ形の両方の側壁部７Ａ、７Ｂを有する。両方の側壁部７Ａ、７Ｂの内側角部を挾んで上部及び下部に略三角形の水平板部７Ｃを設ける。Ｌ形連結金具４の両方の片４Ａ、４Ｂとコーナー連結金具７の側壁部７Ａ、７Ｂ間に通しボルト１２、１４を挿通し、ナット１３、１５で締結する。【選択図】  図１
2006063787.tif 000002
【特許請求の範囲】
【請求項１】
角形状の柱の一角部を挾んで隣接する両側面に角形状の梁を結合する構造であって、柱の一角部を挾んで隣接する両側面に梁の口端部が突合し、柱と両方の梁で直角のコーナーが構成され、このコーナーの外角部に内側角部が当接した略Ｌ形連結金具の両片が柱と両方の梁の端部付近の外側に当接され、前記Ｌ形連結金具の一方の片と、この片と対向して一部が柱と梁の口端部間に介在し、柱と一方の梁の端部付近の内側に当接する平板接合金具とにより柱と一方の梁の端部付近が挾持され、前記平板接合金具と、この平板接合金具と直交する側の他方の梁により構成される内角部にコーナー連結金具が当接され、このコーナー連結金具は一方が前記内角部の平板接合金具の側面に当接し、他方が前記内角部の梁の側面に当接する略Ｌ形の両方の側壁部を有すると共に、両方の側壁部の内側角部を挾んで上部及び下部に略三角形の水平板部が設けられ、前記柱を挾んで平板接合金具と、これと対向するＬ形連結金具の一方の片間及びＬ形連結金具の他方の片と柱の内側側面間に通しボルトが挿通されナットで締結されると共に、Ｌ形連結金具の両方の片とコーナー連結金具の側壁間に通しボルトが挿通されナットで締結されていることを特徴とする柱と梁の結合構造。
【請求項２】
梁が鋼管であり、梁の口端部の上面及び下面の中央部にそれぞれ切り欠きが設けられていることを特徴とする請求項１記載の柱と梁の結合構造。
【請求項３】
梁が木製であり、梁の口端部の中央部に上面から下面に亘る切り欠き溝が設けられていることを特徴とする請求項１記載の柱と梁の結合構造。
【請求項４】
角形状の柱の三方の側面に角形状の梁を結合する構造であって、柱の一方の対向する両側面に梁の口端部がそれぞれ突合すると共に、柱と両梁の端部付近の両側が平板接合金具で挾持され、前記柱の他方の対向する側面の何れか一方の側面に、前記平板接合金具を介して梁の口端部が突合され、この梁の両側で梁と平板接合金具により構成される内角部にコーナー連結金具がそれぞれ当接され、このコーナー連結金具は一方が前記内角部の平板接合金具の側面に当接し、他方が前記内角部の梁の側面に当接する略Ｌ形の両方の側壁部を有すると共に、両方の側壁部の内側角部を挾んで上部及び下部に略三角形の水平板部が設けられ、前記柱を挾んで両平板接合金具間及び外側の平板接合金具とコーナー連結金具の側壁間に通しボルトが挿通されナットで締結されると共に、平板接合金具と直交する梁を挾んで両コーナー連結金具の側壁間に通しボルトで挿通されていることを特徴とする柱と梁の結合構造。
【請求項５】
角形状の柱の四方の側面に角形状の梁を結合する構造であって、柱の一方の対向する両側面に梁の口端部がそれぞれ突合すると共に、柱と両方の梁の端部付近の両側が平板接合金具で挾持され、前記柱の他方の対向する両側面に、前記平板接合金具を介して梁の口端部がそれぞれ突合され、この両方の梁の両側で梁と平板接合金具により構成される内角部にコーナー連結金具がそれぞれ当接され、このコーナー連結金具は一方が前記内角部の平板接合金具に当接し、他方が前記内角部の梁の側面に当接する略Ｌ形の両方の側壁部を有すると共に、両方の側壁部の内側角部を挾んで上部及び下部に略三角形の水平板部が設けられ、前記柱を挾んで両平板接合金具間及び各梁を挾んで各コーナー連結金具の対向する側壁間にそれぞれ通しボルトが挿通されナットで締結されていることを特徴とする柱と梁の結合構造。
【請求項６】
梁が鋼管であり、少なくとも平板接合金具と直交する側の梁の口端部の上面及び下面の中央部にそれぞれ切り欠きが設けられていることを特徴とする請求項４又は５記載の柱と梁の結合構造。
【請求項７】
梁が木製であり、少なくとも平板接合金具と直交する側の梁の口端部の中央部に上面から下面に亘る切り欠き溝が設けられていることを特徴とする請求項４又は５記載の柱と梁の結合構造。
【発明の詳細な説明】
【技術分野】
【０００１】
本発明は柱と梁との結合、詳しくは角形状の柱と角形状の梁との結合構造に関するものである。
【背景技術】
【０００２】
建物の柱や梁等の構造材には木材や鉄骨材等が使用され、木造建物の柱と梁との結合は、ほぞ加工又は羽子板ボルト等によって結合され、鉄骨フレーム建物は角形鋼管柱にＨ形断面梁や角形鋼管梁を溶接により接合するか、或いは角形鋼管柱及び鋼管梁にブラケットを溶接し、ブラケット同士をボルト接合している。
ブラケット同士をボルト接合したものの一例として、特許第２７５９６０３の柱と梁の接続構造、及び実用新案登録第２５１５５６９の化粧材被覆角形鋼管からなる柱と梁との接続構造が提案されている。
【０００３】
しかし、木材から成る柱や梁は強度的に特に結合部に弱点を有していると共に、ほぞ加工等の結合部の加工が困難で熟練を必要とする。
一方、鉄骨材からなる柱や梁は強度はあるが、溶接によると素材に歪みが生じると共に、現場の作業性に問題がある。又、ブラケット同士をボルト接合したものは、結合部の強度は十分なものではない。
【０００４】
又、近年、木造建物においても耐震構造等で強度化が図られているが、木材同士では限界があり、それ故、木材と鉄骨の組み合わせが考えられ、特に木材の通し柱と鋼管梁の結合とすれば、強度も十分な木造建物となるが、結合部に工夫を必要としていたのである。
【特許文献１】特許第２７５９６０３号公報
【特許文献２】実用新案登録第２５１５５６９号公報
【発明の開示】
【発明が解決しようとする課題】
【０００５】
上記の点より本発明は、溶接をせずにブラケットとボルトで角形状の柱と角形状の梁との結合が強固に行われ、柱又は梁のいずれもが、鋼管又は木材から成る場合の、いずれの組み合わせでも対応可能とした柱と梁の結合構造を提供しようとするものである。
【課題を解決するための手段】
【０００６】
上記課題を解決するため請求項１記載の本発明柱と梁の結合構造は、角形状の柱の一角部を挾んで隣接する両側面に角形状の梁を結合する構造であって、柱の一角部を挾んで隣接する両側面に梁の口端部が突合し、柱と両方の梁で直角のコーナーが構成され、このコーナーの外角部に内側角部が当接した略Ｌ形連結金具の両片が柱と両方の梁の端部付近の外側に当接され、前記Ｌ形連結金具の一方の片と、この片と対向して一部が柱と梁の口端部間に介在し、柱と一方の梁の端部付近の内側に当接する平板接合金具とにより柱と一方の梁の端部付近が挾持され、前記平板接合金具と、この平板接合金具と直交する側の他方の梁により構成される内角部にコーナー連結金具が当接され、このコーナー連結金具は一方が前記内角部の平板接合金具の側面に当接し、他方が前記内角部の梁の側面に当接する略Ｌ形の両方の側壁部を有すると共に、両方の側壁部の内側角部を挾んで上部及び下部に略三角形の水平板部が設けられ、前記柱を挾んで平板接合金具と、これと対向するＬ形連結金具の一方の片間及びＬ形連結金具の他方の片と柱の内側側面間に通しボルトが挿通されナットで締結されると共に、Ｌ形連結金具の両方の片とコーナー連結金具の側壁間に通しボルトが挿通されナットで締結されていることを特徴とするものである。
【０００７】
このような構成とすることにより、柱と両方の梁の端部付近はそれぞれＬ形連結金具の片とコーナー連結金具の側壁間に挾持され、通しボルト及びナットで固定されるので、柱と両方の梁は強固に固定されると共に、平板接合金具により平板接合金具とＬ形連結金具の片間に挾持される側の梁と柱は一体化し、より強固な結合となる。
又、平板接合金具の存在により、コーナー連結金具は平板接合金具と固定し、平板接合金具は柱とも固定されているので、柱とコーナー連結金具は一体化し、これによりコーナー連結金具と固定する両梁は柱と強固な結合となる。
【０００８】
コーナー連結金具は、側壁部の一方が内角部の平板接合金具の側面に当接し、他方が内角部の梁の側面に当接し、両側壁部の内側角部を挾んで略三角形の水平板部が上部と下部に二枚も設けられているため、梁の歪みに十分に対処できるものとなる。
結合構造は、Ｌ形連結金具、平板接合金具、コーナー連結金具を使用し、通しボルト及びナットで柱と梁を結合するもので、溶接が不要であるため柱と梁との結合が鋼管又は木材から成る場合の、何れでも対応可能である。
【０００９】
次に、請求項２記載の本発明柱と梁の結合構造は、請求項１記載の柱と梁の結合構造において、梁が鋼管であり、梁の口端部の上面及び下面の中央部にそれぞれ切り欠きが設けられていること、また、請求項３記載の本発明柱と梁の結合構造は、請求項１記載の柱と梁の結合構造において、梁が木製であり、梁の口端部の中央部に上面から下面に亘る切り欠き溝が設けられていることを特徴とするものである。
【００１０】
このような構成とすることにより、施工時に梁をＬ形連結金具の片とコーナー連結金具の側壁の間に、或いは梁をＬ形連結金具の片と平板連結金具の間に上方より落とし込む場合に、Ｌ形連結金具から柱に挿通した通しボルトの突出端部と、この突出端部に螺合するナットに引っ掛かることがない。
【００１１】
次に、請求項４記載の本発明柱と梁の結合構造は、角形状の柱の三方の側面に角形状の梁を結合する構造であって、柱の一方の対向する両側面に梁の口端部がそれぞれ突合すると共に、柱と両梁の端部付近の両側が平板接合金具で挾持され、前記柱の他方の対向する側面の何れか一方の側面に、前記平板接合金具を介して梁の口端部が突合され、この梁の両側で梁と平板接合金具により構成される内角部にコーナー連結金具がそれぞれ当接され、このコーナー連結金具は一方が前記内角部の平板接合金具の側面に当接し、他方が前記内角部の梁の側面に当接する略Ｌ形の両方の側壁部を有すると共に、両方の側壁部の内側角部を挾んで上部及び下部に略三角形の水平板部が設けられ、前記柱を挾んで両平板接合金具間及び外側の平板接合金具とコーナー連結金具の側壁間に通しボルトが挿通されナットで締結されると共に、平板接合金具と直交する梁を挾んで両コーナー連結金具の側壁間に通しボルトで挿通されていることを特徴とするものである。
【００１２】
このような構成とすることにより、柱を挾んだ両側の梁は外側の平板接合金具とコーナー連結金具の側壁間に内側の平板接合金具を介して挾持されて通しボルト及びナットで固定され、又柱は両側の平板接合金具で挾持され、通しボルト及びナットで固定されているため柱と両側の梁は強固な結合となる。
又、平板接合金具と直交する梁は両側のコーナー連結金具の側壁間に挾持され、通しボルト及びナットで固定され、このコーナー連結金具は内側の平板接合金具が存在することにより、これに固定されると共にこの内側平板接合金具は柱とも固定されているので、柱と両コーナー連結金具は一体化し、これにより平板接合金具と直交する梁及び柱と両側の梁は一体化し、柱と強固な結合となる。
【００１３】
そして、内角部にコーナー連結金具が当接され、このコーナー連結金具は側壁部の一方が内角部の平板接合金具の側面に当接し、他方が内角部の梁の側面に当接し、両側壁部の内側角部を挾んで略三角形の水平板部が上部と下部に二枚設けられているため、梁の歪みに十分に対処できる。
結合構造は二枚の平板接合金具と二個のコーナー連結金具を使用し、通しボルト及びナットで柱と梁を結合するもので溶接が不要であるため、柱と梁が鋼管又は木材何れにも対応可能である。
【００１４】
次に、請求項５記載の本発明柱と梁の結合構造は、角形状の柱の四方の側面に角形状の梁を結合する構造であって、柱の一方の対向する両側面に梁の口端部がそれぞれ突合すると共に、柱と両方の梁の端部付近の両側が平板接合金具で挾持され、前記柱の他方の対向する両側面に、前記平板接合金具を介して梁の口端部がそれぞれ突合され、この両方の梁の両側で梁と平板接合金具により構成される内角部にコーナー連結金具がそれぞれ当接され、このコーナー連結金具は一方が前記内角部の平板接合金具に当接し、他方が前記内角部の梁の側面に当接する略Ｌ形の両方の側壁部を有すると共に、両方の側壁部の内側角部を挾んで上部及び下部に略三角形の水平板部が設けられ、前記柱を挾んで両平板接合金具間及び各梁を挾んで各コーナー連結金具の対向する側壁間にそれぞれ通しボルトが挿通されナットで締結されていることを特徴とするものである。
【００１５】
このような構成とすることにより、柱が平板接合金具に挾持され、通しボルト及びナットで固定され、この平板接合金具に各コーナー連結金具は固定されているため、各コーナー連結金具は柱と一体化し、この各コーナー連結金具の対向する側壁間に挾持され、通しボルト及びナットで締結された各梁も柱と一体化し、強固な結合となる。
【００１６】
そして、各内角部に請求項４の発明と同様のコーナー連結金具がそれぞれ当接されていることにより、請求項４の発明と同様に梁の歪みに十分に対処できる機能を有する。
結合構造は二枚の平板接合金具と四個のコーナー連結金具を使用し、通しボルト及びナットで柱と梁を結合するもので、溶接が不要であるため請求項４の発明と同様に柱と梁が鋼管又は木材の何れにも対応可能である。
【００１７】
次に、請求項６記載の本発明柱と梁の結合構造は、請求項４及び５記載の柱と梁の結合構造において、梁が鋼管であり、少なくとも平板接合金具と直交する側の梁の口端部の上面及び下面の中央部にそれぞれ切り欠きが設けられていること、また、請求項７記載の本発明柱と梁の結合構造は、請求項４及び５記載の柱と梁の結合構造において、梁が木製であり、少なくとも平板接合金具と直交する側の梁の口端部の中央部に上面から下面に亘る切り欠き溝が設けられていることを特徴とするものである。
【００１８】
このような構成とすることにより、施工時に平板接合金具と直交する側の梁をコーナー連結金具の側壁間に上方より落とし込む場合に、柱を挾んで両側の平板接合金具間に挿通した通しボルトの頭部及び通しボルトの突出端部と、この突出端部に螺合するナットに引っ掛かることがない。
【発明の効果】
【００１９】
本発明によれば、柱は平板接合金具を介してコーナー連結金具と一体化されているため、コーナー連結金具と固定する総ての梁は柱と一体化し強固な結合となる効果を有する。  柱と梁の結合に溶接を必要としないため、現場での作業性が良くなると共に溶接による素材の歪みが生じることもない。
又、溶接を必要としないため、柱と梁との結合が鋼管や木製であっても、いかなる組み合わせでも可能となる。
【００２０】
そして、木製の梁でも、柱と梁との連結部にほぞ加工等を施す必要がなく、ユニットとして大量生産が可能で、かつ熟練者でなくても簡単に現場作業ができる効果を有する。
更に、木造建物で木製の角形通し柱と角形鋼管梁の結合とすることで通し柱を多用できると共に、水平ブレースの使用も可能となったため部屋全体が強固となり、強度も十分な木造建物を提供できる効果を有する。
【発明を実施するための最良の形態】
【００２１】
以下、本発明の一実施の形態を図面を参照して説明する。
図１乃至図３は請求項１記載の本発明柱と梁の結合構造を示し、図１は平面図、図２は図１の側面図、図３は図１の分解斜視図である。
請求項１記載の発明は、角形状の柱１の一角部を挾んで隣接する両側面に角形状の梁２を結合する構造である。
柱１は図面では角形鋼管から成る柱を示し、梁２も角形鋼管から成る梁としているけれど、木製の柱や梁でも良く、柱と梁を異種の材質としてもよい。
【００２２】
この柱１の一角部を挾んで隣接する両側面に梁２Ａ、２Ｂの口端部が突合するように、柱１と両方の梁２Ａ、２Ｂで直角のコーナーが構成されている。柱１と梁２A、２Bの口端部とに隙間があるのは、角形鋼管の温度による伸縮を考慮したものであり、木製の梁の場合は図８のように当接してと突合させることとなる。
このコーナーの外角部３に両方の片４Ａ、４Ｂが略同一長さのＬ形連結金具４の内側角部が当接し、柱１の外側と両方の梁２Ａ、２Ｂの端部付近の外側に両方の片４Ａ、４Ｂが当接している。両方の片４Ａ、４Ｂの高さは梁２Ａ、２Ｂの側面の高さと略同一高さに形成されている。
【００２３】
Ｌ形連結金具４の一方の片４Ａと対向して柱１と梁２Ｂの口端部間に一部が介在し、柱１の内側と梁２Ａの端部付近の内側に平板接合金具５が当接している。
平板接合金具５はＬ形連結金具４の対向する片４Ａと略同一の長さで、高さは梁２Ａの側面の高さと略同一高さに形成されている。この平板接合金具５と、これと対向するＬ形連結金具４の片４Ａで柱１と一方の梁２Ａの端部付近が挾持されている。
【００２４】
平板接合金具５と、この平板接合金具５と直交する側の他方の梁２Ｂにより直角の内角部６が構成され、この内角部６にコーナー連結金具７が当接されている。
コーナー連結金具７は一方に内角部６の平板接合金具５の側面に当接する側壁部７Ａを有し、他方に内角部６の梁２Ｂの側面に当接する側壁部７Ｂを有する略Ｌ形の両方の側壁を有すると共に、両方の側壁部７Ａ、７Ｂの内側角部を挾んで上部及び下部に略三角形の水平板部７Ｃが設けられている。他方の梁２Ｂの端部付近はＬ形連結金具４の片４Ｂとコーナー連結金具７の側壁部７Ｂにより挾持される。
又、前記一方の梁２ＡもＬ形連結金具４の片４Ａとコーナー連結金具７の平板接合金具５と接する側の他方の側壁部７Ａにより挾持される。
【００２５】
側壁部７Ａ、７Ｂの高さは梁２Ａの側面の高さと略同一高さに形成され、両方の側壁部７Ａ、７Ｂは同一長さで、片方の側壁部７Ａの長さはコーナー連結金具７を内角部６に当接した時に、側壁部７Ａと対向するＬ形連結金具４の片４Ａの端部及び平板接合金具５の端部と端部同士が略同じ位置となる長さとなっている。上部及び下部の水平板部７Ｃに水平ブレース（筋交い）取り付け孔７Ｄが穿設されている。
水平ブレースを取り付けない場合は、図９のように上部及び下部の水平板部７Ｃは敢えて必要が無く、側壁部７A、７BのみのL形片としておいてもよい。
【００２６】
柱１のＬ形連結金具４の両方の片４Ａ、４Ｂが当接する外側面部及び対向位置の内側面部にボルト挿通孔１ａが上下二段に穿設され、このボルト挿通孔１ａに対応してＬ形連結金具４の片４Ａ、４Ｂにボルト挿通孔４ａが上下二段に穿設されている。
柱１の隣接する両側面のボルト挿通孔１ａ、１ａは、両側から後に説明する通しボルト８、１０を挿通した時にボルト同士が当たらないように高さをずらして配設されている。  これに対応して、Ｌ形連結金具４の両方の片４Ａ、４Ｂのボルト挿通孔４ａ、４ａも高さをずらして配設されている。
【００２７】
又、平板接合金具５に柱１のボルト挿通孔１ａと合致する位置にボルト挿通孔５ａが上下二段に穿設されている。そして、平板接合金具５と対向するＬ形連結金具４の４Ａのボルト挿通孔４ａから通しボルト８が柱１の両側のボルト挿通孔１ａを通り、平板接合金具５のボルト挿通孔５ａに挿通され、ナット９で締結されている。
【００２８】
又、Ｌ形連結金具４の他方の片４Ｂのボルト挿通孔４ａから通しボルト１０が柱１の両側のボルト挿通孔１ａに挿通され、ナット１１で締結されている。
【００２９】
両方の梁２Ａ、２ＢのＬ形連結金具４の片４Ａ、４Ｂが当接する側面部及び対向位置の側面部にボルト挿通孔２ｂ、２ｂが上下二段に横二列に穿設されている。
これに対応して、Ｌ形連結金具４の片４Ａ、４Ｂに梁２Ａ、２Ｂのボルト挿通孔２ｂ，２ｂと合致する箇所にボルト挿通孔４ｂ，４ｂが上下二段に横二列に穿設されている。
又、これに対応して平板接合金具５に梁２Ａのボルト挿通孔２ｂと合致する箇所にボルト挿通孔５ｂが上下二段に横二列に穿設されている。
【００３０】
コーナー連結金具７の平板接合金具５の側面に当接する側壁部７Ａに、平板接合金具５のボルト挿通孔５ｂと合致する位置にボルト挿通孔７ｂが上下二段に横二列に穿設されると共に、他方の側壁部７Ｂに梁２Ｂのボルト挿通孔２ｂと合致する箇所にボルト挿通孔７ｂが上下二段に横二列に穿設されている。
【００３１】
そして、Ｌ形連結金具４の一方の片４Ａのボルト挿通孔４ｂから通しボルト１２が梁２Ａのボルト挿通孔２ｂ及び平板接合金具５のボルト挿通孔５ｂを通り、コーナー連結金具７の側壁部７Ａのボルト挿通孔７ｂに挿通され、ナット１３で締結されている。
【００３２】
又、Ｌ形連結金具４の他方の片４Ｂのボルト挿通孔４ｂから通しボルト１４が梁２Ｂのボルト挿通孔２ｂを通り、コーナー連結金具７の側壁部７Ｂのボルト挿通孔７ｂに挿通され、ナット１５で締結されている。
以上により、柱１と平板接合金具５及びコーナー連結金具７は一体化し、コーナー連結金具７に固定される梁２Ａ、２Ｂも柱１と一体化し、強固な結合となる。
【００３３】
両方の梁２Ａ、２Ｂの口端部の上面及び下面の中央部に切り欠き１６が設けられている。この切り欠き１６は施工時に、一方の梁２ＡがＬ形連結金具４の一方の片４Ａと平板接合金具５間に上方から落とし込まれる場合や、他方の梁２ＢがＬ形連結金具４の他方の片４Ｂとコーナー連結金具７の側壁部７Ｂ間に上方から落とし込まれる場合に、通しボルト８、１０の突出端部とこれに螺合するナット９、１１に梁２Ａ、２Ｂの端部が引っ掛からないようなサイズに形成されたもので、梁２Ａ、２Ｂを側方から挿入する場合は必要としない。
【００３４】
梁２Ａ,２Ｂが木製の角形木材のときは、切り欠き１６は梁の口端部の中央部に上面から下面に亘る切り欠き溝３３に形成されることになる。
【００３５】
尚、柱１は図面では角形鋼管から成る柱を示しているが、木製柱の場合は柱１のボルト挿通孔１ａに代え、柱１の一方の側面から対向する側面に貫通孔を穿設する。
【００３６】
次に、図４及び図５は請求項４記載の本発明柱と梁の結合構造を示し、図４は平面図、図５は図４の分解斜視図である。
図１乃至図３と同一又は相当する箇所にはそれと同一符号を付してあり、詳細な説明は省略する。
請求項４記載の発明は、角形状の柱１の三方の側面に角形状の梁２を結合する構造である。柱１及び梁２Ａ、２Ｂは図面では角形鋼管から成るものを示しているが、木製の柱や梁でも良く、柱と梁を異種の材質としてもよいことは、図１乃至図３の場合と同様である。
【００３７】
柱１の一方の対向する両側面に梁２Ａの口端部がそれぞれ突合し、柱１の他方の両側面側から平板接合金具２０が当接され、この両側の平板接合金具２０により柱１と両方の梁２Ａの端部付近が挾持されている。平板接合金具２０の高さは梁２Ａの側面の高さと略同一高さに形成されている。
柱１の他方の対向する側面の何れか一方の側面に、平板接合金具２０を介して他方の梁２Ｂの口端部が突合され、この梁２Ｂの両側で、この梁２Ｂと平板接合金具２０により構成される内角部６に、前同様の構成を有するコーナー連結金具７が当接され、この両側のコーナー連結金具７の側壁部７Ｂにより梁２Ｂの端部付近の両側が挾持されている。
又、柱１の両側の梁２Ａの端部付近は内側の平板接合金具２０を介して外側の平板接合金具２０とコーナー連結金具７の側壁部７Ａ間に挾持されている。
【００３８】
柱１の平板接合金具２０により挾持された両側面部に、ボルト挿通孔１ａが上下二段に穿設されると共に、これと対応して両側の平板接合金具２０、２０にそれぞれボルト挿通孔２０ａ，２０ａが上下二段に穿設され、外側の平板接合金具２０のボルト挿通孔２０ａから支柱１のボルト挿通孔１ａを通り、内側の平板接合金具２０のボルト挿通孔２０ａに通しボルト２１が挿通され、ナット２２で締結されている。
【００３９】
又、平板接合金具２０で挾持された両方の梁２Ａの両側面部にはボルト挿通孔２ｂ、２ｂが上下二段に横二列に穿設されている。
これに対応して、両側の平板接合金具２０のボルト挿通孔２０ａを挾んだ両側にボルト挿通孔２０ｂがそれぞれ上下二段に横二列に穿設されている。
又、このボルト挿通孔２０ｂはコーナー連結金具７の側壁部７ａのボルト挿通孔７ｂにも合致している。そして、外側の平板接合金具２０のボルト挿通孔２０ｂから梁２Ａのボルト挿通孔２ｂ及び内側の平板接合金具２０のボルト挿通孔２０ｂを通り、コーナー連結金具７の側壁部７Ａのボルト挿通孔７ｂに通しボルト２３が挿通され、ナット２４で締結されている。
【００４０】
又、コーナー連結金具７の側壁部７Ｂで挾持された梁２Ｂの両側面部にボルト挿通孔２ｂが穿設され、このボルト挿通孔２ｂとコーナー連結金具７の側壁部７Ｂのボルト挿通孔７ｂは合致している。そして、一方の側のコーナー連結金具７の側壁部７Ｂから梁２Ｂのボルト挿通孔２ｂを通り、他方のコーナー連結金具７の側壁部７Ｂのボルト挿通孔７ｂに通しボルト２５が挿通され、ナット２６で締結されている。
以上により、柱１と内側の平板接合金具２０及び両側のコーナー連結金具７は一体化し、コーナー連結金具７に固定される両側の梁２Ａ及び梁２Ｂも柱１と一体化し、強固な結合となる。
尚、梁２Ａ、２Ｂの口端部の上面及び下面の中央部に切り欠き１６が前同様の理由で設けられているが、この場合は平板接合金具２０と直交する側の梁２Ｂだけでよい。又、角形鋼管柱に代え木製柱とする場合、ボルト挿通孔１ａに代え貫通孔を穿設する。
【００４１】
次に、図６及び図７は請求項５記載の本発明柱と梁の結合構造を示し、図６は平面図、図７は図６の側面図である。図１乃至図５と同様又は相当する箇所にはそれと同一符号を付してあり、詳細な説明は省略する。
請求項５記載の発明は、角形状の柱１の四方の側面に角形状の梁２を結合する構造である。柱１及び梁２Ａ、２Ｂは図面では角形鋼管としているが、木製の柱や梁でも良いことは前記と同様である。
【００４２】
柱１の一方の対向する両側面に梁２Ａの口端部がそれぞれ突合し、柱１の他方の両側面側から前同様の構成を有する平板接合金具２０が当接され、この平板接合金具２０により柱１と両側の梁２Ａの端部付近が挾持されている。
又、柱１の他方の対向する両側面に平板接合金具２０を介して梁２Ｂの口端部がそれぞれ突合し、この梁２Ｂの両側で、この梁２Ｂと平板接合金具２０により構成される内角部６に前同様の構成を有するコーナー連結金具７が当接され、両側のコーナー連結金具７の側壁部７Ｂにより、この梁２Ｂの端部付近の両側が挾持される。
又、平板接合金具２０で挾持された側の梁２Ａも、平板接合金具２０を介してコーナー連結金具７の他方の側壁部７Ａにより挾持されている。
【００４３】
そして、柱１の平板接合金具２０で挾持された両側面部にボルト挿通孔１ａが穿設されると共に、これと対応して両側の平板接合金具２０にそれぞれボルト挿通孔２０ａが穿設され、一方の平板接合金具２０のボルト挿通孔２０ａから支柱１のボルト挿通孔１ａを通り、他方の平板接合金具２０のボルト挿通孔２０ａに通しボルト２７が挿通され、ナット２８で締結されている。
【００４４】
又、平板接合金具２０で挾持された両側の梁２Ａの両側面にボルト挿通孔２ｂが上下二段に横二列に穿設され、これに対応して平板接合金具２０のボルト挿通孔２０ａを挾んだ両側にボルト挿通孔２０ｂが穿設され、このボルト挿通孔２０ｂはコーナー連結金具７の側壁部７Ａのボルト挿通孔７ｂにも合致している。
そして、一方のコーナー連結金具７の側壁部７Ａのボルト挿通孔７ｂから、一方の平板接合金具２０のボルト挿通孔２０ｂ及び梁２Ａのボルト挿通孔２ｂ及び他方の平板接合金具２０のボルト挿通孔２０ｂを通り、他方のコーナー連結金具７の側壁部７Ａに通しボルト２９が挿通され、ナット３０で締結されている。
【００４５】
又、コーナー連結金具７の側壁部７Ｂで挾持された梁２Ｂの両側面にボルト挿通孔２ｂが穿設され、このボルト挿通孔２ｂとコーナー連結金具の側壁部７Ｂのボルト挿通孔７ｂは合致している。そして、一方のコーナー連結金具７の側壁部７Ｂのボルト挿通孔７ｂから梁２Ｂのボルト挿通孔２ｂを通り、他方のコーナー連結金具７の側壁部７Ｂのボルト挿通孔７ｂに通しボルト３１が挿通され、ナット３２で締結されている。
以上により、柱１と柱１を挾持する平板接合金具２０が固定され、この平板接合金具２０に各コーナー連結金具７は固定されているため、各コーナー連結金具７は柱１とも固定され一体化し、各コーナー連結金具２０の対向する側壁間に固定された各梁も柱１と一体化し、強固な結合となる。
尚、梁２Ａ、２Ｂの口端部の上面及び下面の中央部に切り欠き１６が前同様の理由で設けられているが、この場合も平板接合金具２０と直交する側の梁２Ｂだけでよい。又角形鋼管支柱に代え木製柱とする場合、ボルト挿通孔１ａに代え貫通孔を穿設する。
【００４６】
以上、本発明は実施形態に基づき具体的に説明したが、本発明は上記実施形態に何ら限定されるものではなく、本発明の趣旨を逸脱しない範囲内で種々の改良変形が可能である。
【図面の簡単な説明】
【００４７】
【図１】請求項１記載の本発明柱と梁の結合構造を示す平面図である。
【図２】図１の側面図である。
【図３】図１の分解斜視図である。
【図４】請求項３記載の本発明柱と梁の結合構造を示す平面図である。
【図５】図４の分解斜視図である。
【図６】請求項５記載の本発明柱と梁の結合構造を示す平面図である。
【図７】図６の側面図である。
【図８】木製の柱と梁を用いた請求項１記載の本発明柱と梁の結合構造を示す平面図である。
【図９】他のコーナー連結金具を示す斜視図である。
【符号の説明】
【００４８】
１               柱
１ａ             柱のボルト挿通孔
２Ａ、２Ｂ       梁
２ｂ             梁のボルト挿通孔
３               外角部
４               Ｌ形連結金具
４Ａ、４Ｂ       Ｌ形連結金具の片
４ａ、４ｂ       Ｌ形連結金具のボルト挿通孔
５               平板接合金具
５ａ、５ｂ       平板接合金具のボルト挿通孔
６               内角部
７               コーナー連結金具
７Ａ、７Ｂ       コーナー連結金具の側壁部
７Ｃ             コーナー連結金具の水平板部
７Ｄ             コーナー連結金具の水平ブレス取り付け孔
７ｂ             コーナー連結金具のボルト挿通孔
８、１０、１２、１４、２１、２３、２５、２７、２９、３１   通しボルト
９、１１、１３、１５、２２、２４、２６、２８、３０、３２   ナット
１６             切り欠き
２０             平板接合金具
２０ａ、２０ｂ   平板接合金具のボルト挿通孔 
３３             切り欠き溝
【図１】
2006063787.tif 000003
【図２】
2006063787.tif 000004
【図３】
2006063787.tif 000005
【図４】
2006063787.tif 000006
【図５】
2006063787.tif 000007
【図６】
2006063787.tif 000008
【図７】
2006063787.tif 000009
【図８】
2006063787.tif 000010
【図９】
2006063787.tif 000011